(57)【要約】      （修正有）【課題】デッキ自体の透光性を向上させるとともに、デザイン性や安全性にも優れた踏板。【解決手段】第１踏板材１６ａと第２踏板材１７ａと、これらの踏板材１６ａ、１７ａの間に配置される透光性を有するパネル１８と、上記第１踏板材１６ａと第２踏板材１７ａの小口に固定される金属製蓋板２０とを備え、上記第１踏板材１６ａと第２踏板材１７ａの互いに向き合う端面に上記パネル１８の前後端縁を嵌合し、上記第１踏板材１６ａと第２踏板材１７ａとパネル１８の上面を略面一とするとともに、上記第１踏板材１６ａと第２踏板材１７ａとパネル１８の各端面を金属製蓋板２０で覆うとともに、当該蓋板２０によって前踏板と後踏板とを固定して支持した。【選択図】図５
2009221833.tif 000002
【特許請求の範囲】
【請求項１】
第１踏板材と第２踏板材と、これらの踏板の間に配置される透光性を有するパネルと、上記第１踏板材と第２踏板材の小口に固定される金属製蓋板とを備え、上記第１踏板材と第２踏板材の互いに向き合う端面に上記パネルの端縁を嵌合し、上記第１踏板材と第２踏板材とパネルの上面を略面一とするとともに、上記第１踏板材と第２踏板材とパネルの各端面を金属製蓋板で覆うとともに、当該蓋板によって前踏板と後踏板とを固定して支持したことを特徴とする踏板。
【請求項２】
上記第１踏板材と第２踏板材とを補強材を介して連結して補強したことを特徴とする、請求項１に記載の踏板。
【請求項３】
上記パネルの下方に形成された第１踏板材と第２踏板材との間の空間部を下方に向かって末広がり状に形成したことを特徴とする、請求項１又は２に記載の踏板。
【請求項４】
上記第１踏板材を段鼻側踏板、第２踏板材を蹴込み側踏板とし、第１踏板材の段鼻部の上面に滑り止めを嵌合した嵌合溝を形成し、階段用の桁に踏板受け材を介して取付可能としたことを特徴とする、請求項1〜３のいずれかに記載の踏板。
【請求項５】
上記第１踏板材と第２踏板材の下面に沿ってスライド溝を形成するとともに、上記蓋板の下部には、上記スライド溝の端部に対応する位置に、ネジ受け金具用挿通孔を貫通形成したことを特徴とする、請求項４に記載の踏板。
【請求項６】
上記パネルの下方位置に、上記パネルを透過して上方に照射する照明手段を設けたことを特徴とする、請求項１〜４のいずれかに記載の踏板。
【請求項７】
上記照明手段は、上記第１踏板材と第２踏板材との間に配置された透明な支持板上に支持されていることを特徴とする、請求項６に記載の踏板。
【発明の詳細な説明】
【技術分野】
【０００１】
本発明は、階段やデッキにおいて用いられる踏板に関する。
【背景技術】
【０００２】
一般に、建物の庭などに木製や金属型材製のデッキを配することが行われている。たとえば規格木材によって高いデッキユニットと低いデッキユニットを組み合わせて並べることにより、屋外に大きなデッキ空間を造る技術が知られている（特許文献1参照）。また、デッキスペースは地上よりも高いところに設置されているため、デッキスペースに階段を設けることもある。
【０００３】
ところが、従来のデッキスペースは、通常は木や合成樹脂製の踏板を並べて固定するにすぎないので、デッキスペースによって太陽光が遮断され、デッキスペースの下方が暗くなるという問題があった。
【０００４】
このため、デッキスペースを構成する踏板間に隙間を形成し、この隙間から光を透過させるということが行われている（特許文献１参照）。また踏み板ではなく蹴込み板に透光性を有する板を配置した階段も知られている（特許文献２参照）。
【特許文献１】特開平７−２７９２４１
【特許文献２】特開平１１−３０３３５１
【発明の開示】
【発明が解決しようとする課題】
【０００５】
しかしながら、踏板間に隙間を形成する構造では、隙間に靴が挟まり足をとられる危険があり、また蹴込み板に透光板を用いる構造では、太陽光が十分に透過しないという問題があった。
【０００６】
本発明は上記問題点を解消し、デッキ自体の透光性を向上させるとともに、デザイン性や安全性にも優れた踏板を提供することをその課題とする。
【課題を解決するための手段】
【０００７】
上記課題を解決するため、請求項１に係る発明は、第１踏板材と第２踏板材と、これらの踏板の間に配置される透光性を有するパネルと、上記第１踏板材と第２踏板材の小口に固定される金属製蓋板とを備え、上記第１踏板材と第２踏板材の互いに向き合う端面に上記パネルの端縁を嵌合し、上記第１踏板材と第２踏板材とパネルの上面を略面一とするとともに、上記第１踏板材と第２踏板材とパネルの各端面を金属製蓋板で覆うとともに、当該蓋板によって前踏板と後踏板とを固定して支持したことを特徴とする。
【０００８】
請求項２に係る発明は、請求項１において、上記第１踏板材と第２踏板材とを補強材を介して連結して補強したことを特徴とする。
【０００９】
請求項３に係る発明は、請求項１又は２において、上記パネルの下方に形成された第１踏板材と第２踏板材との間の空間部を下方に向かって末広がり状に形成したことを特徴とする。
【００１０】
請求項４に係る発明は、請求項1〜３のいずれかにおいて、上記第１踏板材を段鼻側踏板、第２踏板材を蹴込み側踏板とし、第１踏板材の段鼻部の上面に滑り止めを嵌合した嵌合溝を形成し、階段用の桁に踏板受け材を介して取付可能としたことを特徴とする。
【００１１】
請求項５に係る発明は、請求項４において、上記第１踏板材と第２踏板材の下面に沿ってスライド溝を形成するとともに、上記蓋板の下部には、上記スライド溝の端部に対応する位置に、ネジ受け金具用挿通孔を貫通形成したことを特徴とする。
【００１２】
請求項６に係る発明は、請求項１〜４のいずれかにおいて、上記パネルの下方位置に、上記パネルを透過して上方に照射する照明手段を設けたことを特徴とする。
【００１３】
請求項７に係る発明は、請求項６において、上記照明手段は、上記第１踏板材と第２踏板材との間に配置された透明な支持板上に支持されていることを特徴とする。
【発明の効果】
【００１４】
請求項１に係る発明によれば、踏板は、第１踏板材と第２踏板材との間に透光性を有するパネルが配置される構成であるから、踏板に透光機能を付加することができ、踏板を配したデッキスペースの下方にも太陽光が透過し、またデッキスペースの下部に設置したライトからの照明光が透過するので、下方や上方が明るくなり、デザイン性も向上する。また、パネルは板状なのでコストも低く抑えることができる。さらに、第１踏板材と第２踏板材との間にパネルを介装する構造では、強度が十分ではないが、前踏板と後踏板のパネルの各端面を金属製蓋板で覆うとともに、蓋板によって前踏板と後踏板とを固定して支持したので、第１踏板材と第２踏板材やパネルが抜け方向に移動するのを防ぐことができ、全体の強度が向上する。しかも、パネルは第１踏板材と第２踏板材に嵌合する構成であるから、第１踏板材又は第２踏板材との間に隙間や段差がないようにとりつけることができる。
【００１５】
請求項２に係る発明によれば、第１踏板材と第２踏板材とを補強材を介して連結して補強したので、踏板自体の強度がさらに向上する。また、補強材は簡単な構造でよいから、コストも低くて済む。
【００１６】
請求項３に係る発明によれば、上記パネルの下方に形成された前踏板と後踏板との間の空間部を下方に向かって末広がり状に形成したから、上から差し込んだ光がパネルの下方で広い範囲に広がるので、踏板の下方に明暗ムラが生じにくい。また、下方からの光を多く取り込むことができる。
【００１７】
請求項４に係る発明によれば、デッキに設けた場合と同様の採光効果が得られるほか、第１踏板材の段鼻部の上面に滑り止めを嵌合した嵌合溝が形成されているので、昇降の際の安全を確保することができる。
【００１８】
請求項５に係る発明によれば、踏板は蓋板を初めに取り付けて全体の強度を十分に確保してから踏板受け材に取り付けるのが好ましいが、蓋板を初めに固定してしまうと、第１踏板材と第２踏板材の下面に形成されたスライド溝にネジ受け金具を挿入することができなくなる。しかし、蓋板にはネジ受け金具用挿通孔が貫通形成されているので、蓋板が固定されていても、上記挿通孔からネジ受け金具を挿通させてスライド溝に挿入することができる。
【００１９】
請求項６に係る発明によれば、上記パネルの下方位置に、上記パネルを透過して上方に照射する照明手段を設けたから、夜間には踏み板の上方が明るくなり、足元の安全性が向上するとともに、踏板まわりに独特の優雅な雰囲気を醸し出すことができる。
【００２０】
請求項７に係る発明によれば、上記照明手段は、第１踏板材と第２踏板材との間に配置された支持板上に支持されているので、照明手段を安定的に支持することができるとともに、支持板は透明であるから、踏板の上から下又は下から上に透過する光が支持板によって遮られたり妨げられたりすることはない。
【発明を実施するための最良の形態】
【００２１】
図１は本発明に係る踏板を使用したデッキ構造の一部の斜視図であり、図２はその階段部分の側面図である。
【００２２】
上図において符号１は建物であり、建物１の周りにはデッキ空間が回廊状に形成されている。このデッキ空間Ａは、一定数のデッキ用踏板１ａを桁材によって結合した複数のデッキユニットを連設することによって主に構成され、また階段Ｂは、階段用踏板１ｂを段設することにより構成されている。４は支柱である。
【００２３】
図３に示されるように、各デッキユニットは、それぞれアルミニウムの押出型材から構成された２本の桁２、２の間に２本の妻桁３、３を配置して枠組みしたフレームの上に踏板１ａを取り付けることによって形成され、同じ大きさに形成されている。
【００２４】
上記妻桁３は図４に示されるように、中空状の桁本体３ａと側面カバー３ｂと下面カバー３ｃとからなり、桁本体３ａには、踏板１ａの取付面を有する平面状取付部５と取付部５の下部両側の側面部の長手方向に沿って形成された側溝８と両側の側面部７の下部を連結する底部１１の長手方向に沿って形成された凹溝状の下溝１０とから構成されている。カバー３ｂ、３ｃは断面円弧状に形成されている。
【００２５】
側面部の上端は取付部５の下端に向けて傾斜し、側面部７の下端縁には鉤片１３が形成されている。側溝８は凹溝で、側溝８の底部にはあり溝１５が開口形成されている。
【００２６】
側面部を覆う側面カバー３ｂの下端縁には上記鉤片１３に係合する係合片１６が形成されている。側面カバー３ｂは、この係合片１６を側面部の鉤片１３に係合し、その上部を傾斜部１７に重合してビス止めすることにより固定されている。また、下面カバー３ｃの両側には差し込み片１８が起立形成され、これらの差し込み片１８を下溝１０の両側に差し込み、上部をビス止めすることにより固定されている。
【００２７】
桁２も妻桁３と同じ形状、同じ大きさで、桁ブラケットを介して互いに固定されている。
【００２８】
次に、図５に示されるように、デッキ用の踏板１ａはアルミニウムの押出型材で、第１踏板材１６ａと第２踏板材１７ａと第１踏板材１６ａと第２踏板材１７ａとの間に配置されたパネル１８と、端面に固定された蓋板２０とから構成されている。
【００２９】
第１踏板材１６ａと第２踏板材１７ａとは対称に形成され、中空で下部が絞られた形状を有し、上面部には複数の平行溝２１が形成されている。上面部の内側には、互いに向き合う端面にパネル嵌合溝２２が形成されている。また、側面下部の凹み部２３の外側には、屈曲部が円弧状に曲がったＬ字形の取付片２４が形成されている。さらに、互いに向き合う側面の下部を傾斜させることによって、第１踏板材１６ａと第２踏板材１７ａとの間の空間部Ｓは下方に向けて末広がり状に形成されている。
【００３０】
また、第１踏板材１６ａと第２踏板材１７ａには、上部２個所と下部１個所にビスホール２５が形成されている。
【００３１】
パネル１８は透光性を有するポリカーボネート、ＡＳＡ等の合成樹脂板や厚板ガラス等から構成され、上面には複数の平行溝２１が形成され、両側縁１４はパネル嵌合溝２２に嵌合可能な大きさに形成されている。
【００３２】
蓋板２０は金属製板材によって構成され、第１踏板材１６ａと第２踏板材１７ａのパネル１８の各端面を蓋板２０で覆っている。
【００３３】
次に、上記第１踏板材１６ａと第２踏板材１７ａとパネル１８と蓋板２０とから踏板１ａを組み立てるときは、第１踏板材１６ａと第２踏板材１７ａの間にパネル１８を配し、パネル１８をパネル嵌合溝２２に嵌合する。そして、第１踏板材１６ａと第２踏板材１７ａとは、パネル１８を介して連結されているだけなので、第１踏板材１６ａと第２踏板材１７ａとを金属製補強材２７を介して連結して補強する。次に、第１踏板材１６ａと第２踏板材１７ａの小口を蓋板２０で覆い、外側からビスを挿通し、第１踏板材１６ａと第２踏板材１７ａのビスホール２５に止着固定する。これにより、第１踏板材１６ａと第２踏板材１７ａとは蓋板２０によっても補強的に連結されている。
【００３４】
上記踏板１ａは、図５に示されるように、固定金具２８を介して桁２と妻桁３の上面に配置され、桁２の上面に固定されている。固定金具２８は固定片２９の両側に止着片３０を形成したもので、止着片３０の先端部分の形状は第１踏板材１６ａと第２踏板材１７ａの取付片２４の形状に対応するように形成されている。そして、固定金具２８の固定片２９を桁２の上面にネジ止めし、止着片３０を第１踏板材１６ａと第２踏板材１７ａの取付片２４の上部から押えることによって第１踏板材１６ａと第２踏板材１７ａを桁上の所定位置に固定している。なお、上記補強材２７は透光を遮るので、桁２の上面に配置するのが好ましい。
【００３５】
なお、桁２と妻桁３の構成は上述の形態に限定されない。踏板１ａが取付可能であれば他の構成であってもよい。
【００３６】
上述の踏板１ａを直列に連結したり並列に連結したりすることにより、建物の周囲や敷地内に自由なデッキスペースを造ることができる。このとき、手摺や屋根、壁なども適宜設置すればよい。
【００３７】
上述のように、上記踏板１ａは、第１踏板材１６ａと第２踏板材１７ａとの間に透光性を有するパネル１８が配置される構成であるから、踏板１ａに透光性を付加することができ、デッキスペースＡの下方にも太陽光が透過するほか、デッキスペースの下部に設置したライトからの照明光が透過するので、下方や上方が明るくなり、デザイン性も向上する。また、パネル１８は板状なのでコストも低く抑えることができる。さらに、第１踏板材１６ａと第２踏板材１７ａとの間にパネル１８を介装する構造では、強度が十分ではないが、踏板１ａのパネル１８の各端面を金属製蓋板２０で覆うとともに、蓋板２０によって踏板１ａとを固定して支持したので、第１踏板材１６ａと第２踏板材１７ａやパネル１８が抜け方向に移動するのを防ぐことができ、全体の強度が向上する。しかも、パネル１８は第１踏板材１６ａと第２踏板材１７ａの嵌合溝に嵌合する構成であるから、第１踏板材１６ａ又は第２踏板材１７ａとの間に隙間や段差がないようにとりつけることができる。
【００３８】
また、第１踏板材１６ａと第２踏板材１７ａとを補強材２７を介して連結して補強したので、踏板１ａ自体の強度がさらに向上する。なお、補強材２７は、空間部Ｓの上部で、狭い部分に取り付けるのが好ましい。補強材２７が短くて済むので、低コストの上、補強効果が高いからである。補強材２７の取り付け位置は、後述の階段桁４０の上方に対応する位置にするのが好ましい。補強材２７はパネル１８の上から又は下からの光を遮断してしまうからである。
【００３９】
さらに、第１踏板材１６ａと第２踏板材１７ａの内側下部に角度をつけ、上記パネル１８の下方に形成された第１踏板材１６ａと第２踏板材１７ａの間の空間部Ｓを下方に向かって末広がり状に広がるように形成したから、上から差し込んだ光がパネル１８の下方で広い範囲に広がるので、踏板１ａの下方に明暗ムラが生じにくい。また、下方からの光を多く取り込むことができる。
【００４０】
次に、連設されたデッキユニットの端部に階段を設ける場合について説明する。
【００４１】
図６（ａ）は階段に供される踏板１ｂを示すもので、この踏板１ｂも基本的にはデッキ用の踏板１ａと同じ構造であるが、２つの踏板構成部材は対称ではない。すなわち、上記第１踏板材１６ｂを段鼻側踏板、第２踏板材１７ｂを蹴込み側踏板とすると、第１踏板材１６ｂの段鼻部の上面に滑り止め３９を嵌合した嵌合溝３１が形成されている。また、第１踏板材１６ｂの前面と第２踏板材１７ｂの後面は垂直に形成され、第２踏板材１７ｂの後部の端面に蹴上げ板３２（図４参照）を嵌合する嵌合溝３３が形成されている。さらに、第１踏板材１６ｂと第２踏板材１７ｂの下面には後述する踏板接続用の第２の接続ブラケット４８（図４参照）の一部が嵌合する凹部３５が形成され、凹部３５の上部にはあり溝状のスライド溝３６が形成されている。このスライド溝３６の開口部は固定ボルト５４（図４、図６参照）の軸部が貫通できる幅を有している。補強材２７は後述の踏板受け材３８に対応する位置に配置されている。
【００４２】
なお、図６（ｂ）に示すように、蓋板４４の下部には上記スライド溝３６に対応する位置にネジ受け金具用挿通孔４５が貫通形成されている。
【００４３】
上記踏板１ｂは階段用の桁４０に踏板受け材３８を介して取付可能となっている。
【００４４】
すなわち、階段は、図２に示されたように、階段桁４０と、階段桁４０に設けられた中空の踏板受け材３８と、踏板受け材３８上に設けられた踏板１ｂとから構成されている。これら階段桁４０と踏板受け材３８もアルミニウムの押出型材から構成されている。
【００４５】
階段桁４０は、図７（ｂ）及び図８に示されるように、上部に上方が開口した上溝４１を有し、上溝４１の両側下方に側板４２を形成し、下部を円弧状に形成した桁本体４０ａと、桁本体４０ａの上溝４１と両側板４２にそれぞれ着脱可能な断面円弧状の上面カバー（図示せず）と側面カバー４３とからなり、桁本体４０ａに上面カバーと側面カバー４３とを取りつけることにより全体として見掛け上は円柱状になるように構成されている。また、上溝４１の溝底にはその長手方向に沿って固定ボルト４６の頭部をスライド自在に嵌合する嵌合溝３７が形成されている。側板４２にもその長手方向に沿って同様の嵌合溝３７が形成されている。
【００４６】
踏板受け材３８は同図（ａ）に示されるように、階段桁４０の上溝４１に嵌合可能な大きさに形成され、下端面は長手方向に対して直交するように形成され、上端面は長手方向に対して斜めに形成されている。
【００４７】
図４および図７（ｂ）に示されるように、踏板受け材３８は第１の接続ブラケット４７を介して階段桁４０に固定され、踏板１ｂは第２の接続ブラケット４８を介して踏板受け材３８に固定されている。
【００４８】
第１の接続ブラケット４７は、細長板状の桁取付片５０の両側中央部から受け材取付片５１を起立形成してなり、第２の接続ブラケット４８は、長方形の基板５２の中央にコ字形板５２ａを溶接固定したものである。
【００４９】
第１の接続ブラケット４７の受け材取付片５１は踏板受け材３８の中空部内に嵌合してビス止め固定され、踏板受け材３８の下端から外側に直角に張り出した桁取付片５０は階段桁４０の上溝４１に固定ボルト４６によって固定されている。また、第２の接続ブラケット４８の基板５２は踏板１ｂの下面の凹部３５に嵌合され、蓋板４４の挿通孔４５から挿入されてスライド溝３６に嵌合したネジ受け金具５３にボルト５４を締結して固定されている。また、コ字形板５２ａは踏板受け材３８の側壁にビス止め固定されている。そして、階段桁４０の桁本体４０ａには、踏板受け材３８と干渉しない位置に、桁本体４０ａに対し上面カバーと側面カバー４３とが取りつけられている。
【００５０】
なお、上記階段をデッキの端部に設ける場合には、図８及び図４に示されるように、デッキの桁２の下溝に桁下金具５５の一端を固定する一方、階段桁４０の上端の小口に桁小口金具５６を取り付け、桁下金具５５の他端と桁小口金具５６とを固定ボルト５７とナットで締結固定すればよい。
【００５１】
上記階段構成によれば、デッキに設けた場合と同様の採光効果が得られるほか、第１踏板材１６の段鼻部の上面に滑り止めが嵌合しているので、安全に昇降することができる。
【００５２】
なお、上述の踏板１ａ、１ｂは、２つの直状の踏板構成部材の間に透光性を有するパネルを配置したものであるが、この例に限定されない。例えば、それぞれＬ字形に形成された踏板を口形に組み、その間（内側）にパネルを設ける構成であってもよい。
【００５３】
図９は、踏板１ａの第１踏板材１６ａと第２踏板材１７ａとの間で、パネル１８の下方位置に、ＬＥＤ（発光ダイオード）６０を設けるようにした形態を示す。
【００５４】
すなわち、第１踏板材１６ａと第２踏板材１７ａに取付金具６１の一端が固定され、その他端に支持板６２が固定される。取付金具６１は桁２の上部に配置されている。また、支持板６２は透明な合成樹脂板からなり、踏板１ａの長さとほぼ同じ長さに形成されている。ＬＥＤ６０はカバーで覆われ、支持板６２の上部に複数個が配置固定されている。
【００５５】
上記構成によれば、夜間にＬＥＤ６０に通電させるとＬＥＤ６０が発光し、光はパネル１８を透過して上方に照射される。夜間には踏板１ａの上方が明るくなり、足元の安全性が向上するとともに、踏板１ａまわりに独特の優雅な雰囲気を醸し出すことができる。
【００５６】
また、上記ＬＥＤ６０は、第１踏板材１６ａと第２踏板材１７ａとの間に配置された支持板６２上に支持されているので、ＬＥＤ６０を安定的に支持することができるとともに、支持板６２は透明であるから、踏板の上から下又は下から上に透過する光が支持板６２によって遮られたり妨げられたりすることはない。
【００５７】
さらに、照明手段としてＬＥＤを利用しているので、電力消費が小さく、長持ちするので経済的である。
【００５８】
なお、照明手段はＬＥＤに限定されない。蛍光灯などでもよい。
【００５９】
また、照明手段はデッキ用の踏板でなく、階段用踏板に設けてもよいことはもちろん、踏板の下方に配設してもよい。
【００６０】
さらに、照明手段を支持する部材は板状のものに限定されない。例えば、踏板の長手方向に配した棒状部材でもよい。照明手段は図５又は図６に示す補強材２７の上に直接に固定してもよい。この場合、補強材は踏板の長手方向に沿って数個を設けるようにしてもよい。
【図面の簡単な説明】
【００６１】
【図１】本発明に係る踏板を用いたデッキスペースの斜視図
【図２】上記デッキスペースと階段部分の側面図
【図３】上記デッキスペースと階段部分の平面図
【図４】上記デッキスペースと階段部分の拡大図
【図５】デッキ用踏板の断面図
【図６】階段用踏板の断面図
【図７】（ａ）（ｂ）は桁受け材の断面図と、その取付状態を示す階段桁の正面図
【図８】デッキと階段との連結部分を示す要部の正面図
【図９】照明手段を設けた踏板を示す断面図
【符号の説明】
【００６２】
１ａ、１ｂ  踏板
１６ａ  第１踏板材
１７ａ  第２踏板材
１８  パネル
２０  蓋板
【図１】
2009221833.tif 000003
【図２】
2009221833.tif 000004
【図３】
2009221833.tif 000005
【図４】
2009221833.tif 000006
【図５】
2009221833.tif 000007
【図６】
2009221833.tif 000008
【図７】
2009221833.tif 000009
【図８】
2009221833.tif 000010
【図９】
2009221833.tif 000011